(57)【要約】    【課題】  無線システムを構成する基地局や無線端末局等の低消費電力化を実現する無線通信装置を提供。    【解決手段】  無線通信装置の基地局内に備えられる送受信器30は、制御回路22の動作を開始および停止する時間を計時するタイマ112に設定された時間ごとに、受信される無線信号の受信電波強度を示すRSSI値と設定値とを比較し、RSSI値が設定値よりも高い受信電波強度を示す場合に制御回路22を動作させ、受信した受信信号を復調した受信データを制御回路22に送出して、設定値を送受信手段に設定する時と、受信電波強度が設定値を超えたときに受信データの解析を行う構成。【選択図】        図１
2006279822.tif 000002
【特許請求の範囲】
【請求項１】
無線信号を送受信する無線通信装置において、該装置は、
他局と無線通信を行う送受信手段と、
該送受信手段に接続され、送受信する情報を処理する制御手段とを含み、
前記送受信手段は、
前記制御手段の動作を開始および停止する時間を計時するタイマ手段と、
該タイマ手段に設定された時間ごとに、前記送受信手段にて受信される無線信号の受信時における受信電波強度を検出し、該受信電波強度を示す強度信号を生成する受信強度生成手段と、
前記強度信号と所定の設定値とを比較し、前記強度信号が前記設定値よりも高い受信電波強度を示すか否かを判定する判定手段と、
該判定手段にて判定した判定の結果が、前記強度信号が前記設定値よりも高い受信電波強度を示す場合に前記制御手段を動作させ、前記受信手段にて受信した受信信号を復調した受信データを前記制御手段に送出する接続手段とを含み、
前記制御手段は、前記設定値を前記送受信手段に設定する設定時と、前記受信電波強度が前記設定値を超えたときに前記受信データを処理することを特徴とする無線通信装置。
【請求項２】
請求項１に記載の無線通信装置において、該装置は、前記送受信手段にて受信したデータと設定される設定値とを比較して、比較した結果、前記データと前記設定値とが一致する比較結果が得られると前記接続手段を介して前記制御手段に該比較結果を通知する比較手段であって、前記比較結果が得られると前記データを前記接続手段を介して前記制御手段に転送する比較手段を含むことを特徴とする無線通信装置。
【請求項３】
請求項１に記載の無線通信装置において、該装置は、前記制御手段より送信すべきデータを入力して、該データを格納する格納手段を含み、
前記強度信号が前記設定値よりも低い受信電波強度を示す場合に、前記格納手段は、該格納手段に格納したデータを前記送受信手段に順次送出し、該データの送出が完了すると前記接続手段を介して前記データの送出完了を前記制御手段に通知し、前記格納手段はさらに該制御手段に次に送出すべきデータがある場合に該データを前記制御手段から入力して格納することを特徴とする無線通信装置。
【請求項４】
請求項１に記載の無線通信装置において、送出すべきデータが前記格納手段にない場合には前記タイマ手段の計時満了を待って送信動作を終了することを特徴とする無線通信装置。
【請求項５】
請求項１に記載の無線通信装置において、前記送受信手段と前記制御手段とはそれぞれ別々の半導体チップにて形成されていることを特徴とする無線通信装置。
【請求項６】
無線信号を送受信する無線通信装置の無線通信方法において、前記無線通信装置は、他局と無線通信を行う送受信手段と、該送受信手段に接続され送受信する情報を処理する制御手段とを含み、該方法は、
前記制御手段の動作を開始および停止する時間を計時するタイマ工程と、
該タイマ工程に設定された時間ごとに、前記送受信手段にて受信される無線信号の受信時における受信電波強度を検出し、該受信電波強度を示す強度信号を生成する受信強度生成工程と、
前記強度信号と所定の設定値とを比較し、前記強度信号が前記設定値よりも高い受信電波強度を示すか否かを判定する判定工程と、
該判定工程にて判定した判定の結果が、前記強度信号が前記設定値よりも高い受信電波強度を示す場合に前記制御手段を動作させ、前記送受信手段にて受信した受信信号を復調して、該復調して得られる受信データを前記制御手段に送出する接続工程とを含み、
前記設定値を前記送受信手段に設定する設定時と、前記受信電波強度が前記設定値を超えたときに前記制御手段を動作させて受信データを処理することを特徴とする無線通信方法。
【請求項７】
請求項６に記載の無線通信方法において、該方法は、前記送受信手段にて受信したデータと設定される設定値とを比較して、比較した結果、前記データと前記設定値とが一致する比較結果が得られると前記制御手段に該比較結果を通知し、前記比較結果が有られると前記データを前記制御手段に転送する比較工程を含むことを特徴とする無線通信方法。
【請求項８】
請求項６に記載の無線通信方法において、該方法は、前記制御手段より送信すべきデータを入力して、該データを格納する格納工程を含み、該格納工程は、前記強度信号が前記設定値よりも低い受信電波強度を示す場合に、格納したデータを前記送受信手段に順次送出し、該データの送出が完了すると前記データの送出完了を前記制御手段に通知し、該制御手段に次に送出すべきデータがある場合に該データを前記制御手段から入力して格納することを特徴とする無線通信方法。
【請求項９】
請求項８に記載の無線通信方法において、前記格納工程は、送出すべきデータを格納していない場合には、前記タイマ工程の計時満了を待って送信動作を終了させることを特徴とする無線通信方法。
【発明の詳細な説明】
【技術分野】
【０００１】
本発明は、無線システムを構成する基地局や無線端末局等の無線通信装置に関するものである。
【背景技術】
【０００２】
近年、送受信装置を有する親機側の無線局（基地局）と、センサ等を有する子機側の無線局との間にて無線通信を行って、たとえばセンサにて検出された情報を、子機から親機の無線局に送信するセキュリティシステムが知られている。このようなシステムに関し、たとえば社団法人電波産業会では、省電力セキュリティシステムの無線局の無線設備について標準規格を策定している。
【０００３】
このような無線局の無線設備は、たとえば無線信号の送受信装置と制御装置とを有し、防犯システムや非常連絡システムを構築する。
【０００４】
この場合、基地局は、基地局がカバーするエリア内の子機側の無線端末とデータの送受信を行い、基地局は一定時間毎に受信動作を開始する。無線端末がデータを送信したい場合、基地局が受信動作をしている間にデータを送出することで無線端末から基地局ヘデータの受け渡しが行われる。
【０００５】
【特許文献１】特開平９−１６３４５２号公報
【発明の開示】
【発明が解決しようとする課題】
【０００６】
しかしながら、送受信装置と制御装置とを含む無線局では、送受信装置と制御装置とが、ともに常に動作していないとデータの送受信が行えないために低消費電力化に不向きであった。たとえば、親機および子機を電池駆動する場合には、より一層の低消費電力化が必要であった。
【０００７】
従来技術文献１では、電界強度のレベルが所定値以上にあるか否かを判断することにより無線通信機能をオフ状態にする情報処理装置が開示されている。しかし、たとえば、通信部と制御部とを別個の半導体チップにて構成した場合についての低消費電力化を実現するものではなかった。
【０００８】
本発明はこのような従来技術の欠点を解消し、無線システムを構成する基地局や無線端末局等の低消費電力化を実現する無線通信装置を提供することを目的とする。
【課題を解決するための手段】
【０００９】
本発明は上述の課題を解決するために、無線信号を送受信する無線通信装置において、この無線通信装置は、他局と無線通信を行う送受信手段と、送受信手段に接続され、送受信する情報を処理する制御手段とを含み、送受信手段は、制御手段の動作を開始および停止する時間を計時するタイマ手段と、タイマ手段に設定された時間ごとに、送受信手段にて受信される無線信号の受信時における受信電波強度を検出し、受信電波強度を示す強度信号を生成する受信強度生成手段と、強度信号と所定の設定値とを比較し、強度信号が設定値よりも高い受信電波強度を示すか否かを判定する判定手段と、判定手段にて判定した判定の結果が、強度信号が設定値よりも高い受信電波強度を示す場合に制御手段を動作させ、受信手段にて受信した受信信号を復調した受信データを制御手段に送出する接続手段とを含み、制御手段は、設定値を送受信手段に設定する設定時と、受信電波強度が設定値を超えたときに受信データを処理することを特徴とする。また、送受信手段と前記制御手段とはそれぞれ別々の半導体チップにて形成されているとよい。
【００１０】
この場合、この装置は、送受信手段にて受信したデータと設定される設定値とを比較して、比較した結果、データと設定値とが一致する比較結果が得られると接続手段を介して制御手段に比較結果を通知する比較手段であって、比較結果が得られるとデータを接続手段を介して制御手段に転送する比較手段を含むとよい。この場合、制御手段より送信すべきデータを入力して、データを格納する格納手段を含み、強度信号が設定値よりも低い受信電波強度を示す場合に、格納手段は、格納手段に格納したデータを送受信手段に順次送出し、データの送出が完了すると接続手段を介してデータの送出完了を制御手段に通知し、格納手段はさらに制御手段に次に送出すべきデータがある場合にデータを制御手段から入力して格納するとよい。また、送出すべきデータが格納手段にない場合にはタイマ手段の計時満了を待って送信動作を終了するとよい。
【００１１】
また、本発明は上述の課題を解決するために、無線信号を送受信する無線通信装置の無線通信方法において、無線通信装置は、他局と無線通信を行う送受信手段と、送受信手段に接続され送受信する情報を処理する制御手段とを含み、この方法は、制御手段の動作を開始および停止する時間を計時するタイマ工程と、タイマ工程に設定された時間ごとに、送受信手段にて受信される無線信号の受信時における受信電波強度を検出し、受信電波強度を示す強度信号を生成する受信強度生成工程と、強度信号と所定の設定値とを比較し、強度信号が設定値よりも高い受信電波強度を示すか否かを判定する判定工程と、判定工程にて判定した判定の結果が、強度信号が設定値よりも高い受信電波強度を示す場合に制御手段を動作させ、送受信手段にて受信した受信信号を復調して、復調して得られる受信データを制御手段に送出する接続工程とを含み、設定値を送受信手段に設定する設定時と、受信電波強度が設定値を超えたときに制御手段を動作させて受信データを処理することを特徴とする。
【００１２】
この場合、送受信手段にて受信したデータと設定される設定値とを比較して、比較した結果、データと設定値とが一致する比較結果が得られると制御手段に比較結果を通知し、比較結果が得られるとデータを制御手段に転送する比較工程を含むとよい。また、制御手段より送信すべきデータを入力して、データを格納する格納工程を含み、格納工程は、強度信号が設定値よりも低い受信電波強度を示す場合に、格納したデータを送受信手段に順次送出し、データの送出が完了するとデータの送出完了を制御手段に通知し、制御手段に次に送出すべきデータがある場合にデータを制御手段から入力して格納するとよい。この場合さらに格納工程は、送出すべきデータを格納していない場合には、タイマ工程の計時満了を待って送信動作を終了させるとよい。
【発明の効果】
【００１３】
本発明によれば、タイマ手段に設定された時間ごとに強度信号を設定値と比較し、その比較結果から設定値よりも高い受信電波強度を判定手段にて判定したときに制御手段を動作させて、受信データを制御部32に送出する構成を採っているので、送受信手段のタイマ設定時および強度信号の設定時と、受信電波強度が設定値を超えた時に、制御手段を動作させるのでシステムの消費電力を低減することができる。
【００１４】
また、送受信手段にて受信したデータと設定される設定値とを比較して、データと設定値とが一致する比較結果が得られると制御手段に比較結果を通知する比較手段を有し、比較結果が得られるとデータを制御手段に転送する構成を採った場合には、受信電波強度が一定値を超えた場合であっても復調データが所望のデータではない場合に、制御手段の動作を停止し続けることができ、制御手段の動作時間をさらに短縮することができてより一層の低消費電力化が図られる。
【００１５】
さらにRSSI値が設定値よりも低い受信電波強度を示す場合に、格納手段に格納したデータを送受信手段に順次送出し、データの送出が完了すると接続手段を介してデータの送出完了を制御手段に通知して、さらに制御手段に次に送出すべきデータがある場合にデータを制御手段から入力して格納する構成を採る場合には、制御手段にて次いで送出すべきデータがある場合にそのデータを格納手段に設定することによってデータ送出を継続することができ、逆に送出すべきデータがない場合はタイマ満了を待ちとなって送信動作を終了することができる。したがって低消費電力化がさらに期待できる。
【発明を実施するための最良の形態】
【００１６】
次に添付図面を参照して本発明による無線通信装置の実施例を詳細に説明する。図３参照すると、本発明が適用されたセキュリティネットワークシステム10のシステム構成例が示されている。なお、以下の説明において本発明に直接関係のない部分は、図示およびその説明を省略し、また、信号の参照符号はその現われる接続線の参照番号で表わす。
【００１７】
同図を参照すると、セキュリティネットワークシステム10は、たとえば小電力セキュリティシステムの無線設備のうち、親機として機能する基地局20と、基地局20のアンテナ22から送出される無線信号を受信するとともに、基地局20へ無線信号を送出する複数の無線端末24とを含み、無線端末24は子機として機能する。システム10は、これら基地局20および無線端末24によって火災や盗難等の非常時の通報を行う無線通信システムである。
【００１８】
図示するように基地局20と無線端末24とは無線通信にて接続される。無線端末24にはそれぞれ異常を検知するセンサ等が備えられて、検知した異常を示す異常情報を基地局20に送信する。基地局20は、無線端末24から送信された信号を受信すると、たとえば警報を発したり、また異常情報の内容に応じて、有線または無線通信を利用して他の設備へ異常情報を通知するものである。本実施例では、基地局20から送信されるポーリング信号に応動して、無線端末24にて検出した情報が無線端末24から送信され、これを基地局20にて受信することができるシステムである。また、基地局20と無線端末24とは、AC電源による駆動だけではなく、バッテリによる駆動が可能な構成となっている。
【００１９】
各無線端末24および基地局20は、異常等の監視のためにとくに低消費電力化が可能な低消費電力回路方式が採用されている。以下の実施例では、この低消費電力回路方式を基地局20に適用した場合の構成について説明する。
図２を参照すると、基地局20の概略構成を示すブロック図が示されている。図示するように基地局20は、無線通信を行う送受信器30とホスト側の制御回路32とを含む。本実施例では送受信器30と制御回路32とは、それぞれ別々の半導体チップにて形成されている。また、制御回路32は、汎用のマイクロプロセッサを採用することができ、低消費電力化のためのスタンバイモード（スリープモード）等を有する半導体プロセッサである。
【００２０】
次に図１を参照すると同図には送受信器30の内部構成例が示されている。送受信器30は、アンテナ22に接続されたRF回路100と、RF回路100に接続されたRSSI変換回路102、復調器104、変調器106およびタイマ112とを含む。タイマ112の出力はまたRSSI変換回路102および判定部110に接続されている。判定部110はRSSI変換回路102の出力に接続されるとともに、ホストIF 108に接続されている。
【００２１】
RF回路100は、無線信号を送受信する高周波回路であり、送信時に変調器106から入力される送信データをRF信号としてアンテナ22より出力させ、受信時に復調器104へ受信データをアナログ波形として出力する。同時にRF回路100は、RSSI変換回路102へ受信電波強度を示すアナログ信号を出力する。
【００２２】
RSSI変換回路102は、RF回路100より与えられる受信電波強度を示すアナログ信号を入力し、このアナログ信号をデジタル処理して、受信電波強度を示す数値情報のRSSI(Received Signal Strength Indication)値114 として判定部110に出力する。
【００２３】
復調器104は、RF回路100より受信信号をアナログにて入力し、この受信信号をデジタル処理してホストIF 108に出力するデモジュレータである。
【００２４】
変調器106は、送信時ホストIF 108から与えられるデジタルデータを変調してRF回路100へ出力するモジュレータである。
【００２５】
ホストIF 108は制御回路32（図２）とのインタフェースを取り、制御回路32から入力される信号を復調器104および変調器106の各モジュールヘ転送し、また、各モジュールから制御回路32ヘデータを転送するインタフェース回路である。ホストIF 108にはタイマ112および判定部110へのデータ送受を行う機能が追加される。
【００２６】
タイマ112の内部構成例を図４に示すと、タイマ112は、カウンタ120とストップタイマ122とスタートタイマ124とを含む。  カウンタ120は、ストップタイマ122から出力されるRSSI/IF停止信号を入力するカウント値の初期値に戻しカウントを再開するアップカウンタである。
【００２７】
ストップタイマ122は、ホストIF 108を通じて設定値が設定され、この設定値が設定されると、カウンタ120のカウント値と設定値とが一致したとき停止信号126を出力する計時回路である。
【００２８】
スタートタイマ124は、ホストIF 108を通じて設定値が設定され、この設定値が設定されると、カウンタ120のカウント値と設定値が一致したとき動作信号128を出力する計時回路である。
【００２９】
次に図５を参照すると同図には判定部110の内部構成例が示されている。
【００３０】
RSSI記憶回路130は、受信時に、送受信器30内のRSSI変換回路102より受信データの電波強度を示すRSSI値114が入力され、この値を保持する記憶回路である。
【００３１】
比較器132は、設定値入力回路134からの出力とRSSI記憶回路130からの出力をと比較し、RSSI記憶回路130の出力の方が大きい時にRSSI検出結果を出力116に出力する比較回路である。この出力116はホストIF 108（図１）に接続されている。
【００３２】
設定値入力回路20は、送受信器30内のホストIF 108を通じてRSSI値を比較するための設定値（比較値）を入力し、この設定値を保持するとともに、その設定値を比較器132へ出力する。
【００３３】
次に図６を参照すると同図には制御回路32の構成例が示されている。この制御回路32は、上述したように、送受信器30とは別の半導体チップにて形成されており、汎用のマイクロプロセッサが適用される。
【００３４】
図示するようにタイマ150は、一定時間をカウントし制御部152ヘカウント満了を通知する計時回路である。制御部152は、データ送信、データ受信および送受信OFFなどの送受信器30の動作を制御する制御プログラムに従って、ホストIF 154を介して送受信器30を制御する。ホストIF 154は、送受信器30に配置されたホストIF 108に接続されて送受信信号や制御情報を授受するインタフェース回路である。
【００３５】
判定部156は、送受信器30より入力される受信電波強度がデータを受信するに足りる強度を持っているか否かを判定する機能部であり。受信電波強度が十分ある場合に制御部152へ受信要求を発行し受信動作を開始する。以上の構成で基地局20の動作を図７および図８を参照して説明する。図７および図８には、基地局20の動作を示すフローチャートが示されている。
【００３６】
まず、ステップS700にて制御回路32より送受信器30のタイマ12内の各タイマ122,124を設定し、続くステップS702 では判定部110にてRSSI比較値（設定値）を設定し、さらにステップS704に進んでタイマ12のタイマ動作を開始する。このとき停止信号126がストップタイマ122より出力されてこれが判定部110およびホストIF 108を介して制御回路32に通知されることにより制御回路32はスタンバイとなって動作停止状態となる。
【００３７】
ステップS706では、カウンタ120の出力とスタートタイマ124の設定値が一致(タイマ満了)するか否か判定され、一致した場合(Yes)にスタートタイマ124が動作信号128を出力する(ステップS708)。この動作信号128を受けてRF回路100は、受信動作を開始し、ステップS710にて受信電波を検知するとRSSI変換回路102へ受信電波強度を送出する。
【００３８】
ここで図８に示すステップS800に進んで、受信電波が有る場合にはステップS802 に進み、受信電波がない場合にはステップS810 に進む。ステップS802では、判定部110にて比較判定した結果が”RSSI値＞設定値”となったときその判定結果をホストIF 108に通知する。ホストIF 108は判定結果を制御回路32へ送信することにより制御回路32は動作を開始する。同時に復調器104よりホストIF 108へ受信データを送付し、ホストIF 108は同様に制御回路32へ送出する。制御回路32は受信データを検出して処理する（ステップS804〜S808）。
【００３９】
ステップS800にて受信電波がない場合、具体的には判定部110にてRSSI値114が設定値を超えていない場合、判定部110からRSSI値の判定結果が通知されないため制御回路32は動作停止を継続する。そしてステップS810 でに、カウンタ120の出力とストップタイマ122の設定値とが一致する（ステップS810）と、ストップタイマ112は停止信号126を出力し受信動作を停止し（ステップS812）、これによって制御回路32も動作を停止する。その後カウンタ17のカウント値をクリアし次のタイマ満了を待つ（ステップS814）。
【００４０】
以上説明したように、タイマ112に設定された時間毎に定期的にRSSI値を設定値と比較し、その比較結果から設定値よりも高い受信電波強度を検出したときのみに制御部32を動作させて受信データを制御部32に送出する構成を採用した。このような構成により、制御回路32を送受信器30のタイマおよびRSSI比較値の設定時と、受信電波強度が設定値を超えた時に、制御回路32にて受信データ解析のみを行うのでシステムの消費電力を低減することができる。
【００４１】
セキュリティネットワークシステム10（図３）の他の実施例として、図９に示す基地局90を採用する場合の実施例を説明する。この基地局は、図２に示した基地局20と同様に制御回路32を有し、この制御回路32に送受信器92が接続されている。
【００４２】
送受信器92の内部構成例を図10に示す。図示するように送受信器92は、図１に示した送受信器30のタイマ112に代えてタイマ94を備え、ホストIF 108に代えてホストIF 96を備え、さらに比較部98を追加して備えた構成となっている。本実施例におけるホストIF 96は、図１に示したホストIF 108の機能構成に、比較部98とのデータ送受信を行う機能が追加されている。
【００４３】
タイマ94の内部構成例を図11に示す。タイマ94は、図４に示したタイマ112にさらに比較ストップタイマ1100を備えている。比較ストップタイマ1100は、ホストIF 96を通じて設定値が設定されるとカウンタ120からのカウント値入力と設定値とが一致したときに復調器停止信号1102を出力する。この復調器停止信号1102は、復調器104、RSSI変換回路102、判定部110および比較部98に入力される。
【００４４】
次に比較部23内部構成例を図12に示す。比較部98は、復調データ保持回路1200と、比較器1202と、比較値入力回路1204と、データ出力器1206とを含む。
【００４５】
復調データ保持回路1200は、受信時に復調器104（図10）から入力される復調データを保持する回路である。復調データ保持回路1200は、不図示の内部クロックに同期して比較器1202およびデータ出力器1206に保持した復調データを出力する。
【００４６】
比較器1202は、受信時に復調データ保持回路1200からの復調データと比較値入力回路1204からの比較データを比較する回路である。比較器1202は、復調データと比較データとが一致した場合に復調データ比較結果1208を出力する。比較器1202のこの出力1208はホストIF 96に接続されて、復調データ比較結果データは制御回路32に送出される。
【００４７】
比較値入力回路1204は、ホストIF 96を介して復調データを比較するための設定値が設定されてこれを保持するデータ保持用回路であり、設定値を比較器1202に出力する。
【００４８】
データ出力器1206は、受信時に比較器1202から出力される復調データ比較結果1208を出力イネーブルを示すイネーブル信号として入力し、イネーブル状態になると復調データ保持回路1200からの復調データをホストIF 92を介して制御回路32に出力する。
【００４９】
以上の構成で基地局20の動作を図13および図14を参照して説明する。図13および図14には、基地局90の動作を示すフローチャートが示されている。
【００５０】
制御回路32より送受信器92の制御データ(タイマ値（ステップS1300）、RSSI比較値（ステップS1302）、復調比較データ値（ステップS1304）)を設定し、続くステップS1306においてタイマ94のタイマ動作を開始する。このとき停止信号126がストップタイマ122より出力されてこれが判定部110およびホストIF 96を介して制御回路32に通知されることにより制御回路32はスタンバイとなって動作停止となる。
【００５１】
送受信器92は、カウンタ120の出力とスタートタイマ124の設定値とが一致(タイマ満了)すると（ステップS1308）、ステップS1310に進んでスタートタイマ124から動作信号128が出力される。動作信号128を受けるとRF回路 100は受信動作を開始し、RF回路100は、RSSI変換回路 102に受信電波強度を送出する。このとき判定部110にて比較した結果が“RSSI値＞設定値”となると（ステップS1312）、図14に示すステップS1400に進んで、復調器104を動作させ受信信号の復調を開始し、復調したデータを比較部98に出力する。ステップS1312 にて、RSSI値が設定値を超えていない場合、図14に示すステップS1410に進んで復調器104はタイマ94から供給されてる停止信号126により動作せず停止状態が継続される。
【００５２】
受信データが比較部98に入力されると、比較部98では、復調データ保持回路1200の出力と比較値入力回路1204の設定値とを比較器1202にて比較し（ステップS1402）、その比較が一致した時点で復調データ比較結果1208をホストIF 96に出力する。これとともにデータ出力器1206よりから復調データをホストIF 96に出力する。ホストIF 96は、比較器1202から供給される復調データ比較結果1208により復調データを制御回路32へ送出する。
【００５３】
制御回路32は復調データを送受信器92より受信すると起動し、制御回路32から送出するデータを送受信器92に出力し（ステップS1404）、また、受信した復調データの処理を行う（ステップS1406）。
【００５４】
次いでステップS1408に進み、カウンタ120の出力と比較ストップタイマ1100の設定値とが一致すると、比較ストップタイマ1100が復調器停止信号1102を出力する（ステップS1410）。この復調器停止信号1102によって、復調器104および比較部98の動作が停止され、さらに制御部32も同時に停止される。その後カウンタ120の出力とストップタイマ122の設定値とが一致すると（ステップS1412）、ストップタイマ122から停止信号126が出力されて（ステップS1414）、受信動作が停止される。その後、カウンタ120のカウント値をクリアして次のタイマ満了を待つ（ステップS1416）。
【００５５】
以上説明したように、タイマ94に設定された時間毎に定期的にRSSI値を設定値と比較し、その比較結果により設定値より高い受信電波強度を検出したときに復調器104を動作させ、復調器 104にて復調したデータと比較部98にて設定された比較値とが一致したときに、ホストIF 96を通じて制御回路32へ復調データ比較結果1208を通知し、さらに受信データの復調データを制御部32に転送する構成を採用した。このような構成により、受信電波強度が一定値を超えた場合であっても復調データが所望のデータではない場合、制御回路32の動作を停止し続けることができるので、制御回路32が動作する時間をさらに短縮することができ、より一層の低消費電力化が図れる。また、不要データによる発生する誤動作を低減することができる。
【００５６】
セキュリティネットワークシステム10（図３）のさらに他の実施例として、図15に示す基地局1500を採用する場合の実施例を説明する。この基地局1500は、図２および図９に示した基地局20と同様に制御回路32を有し、この制御回路32に送受信器1502が接続されている。
【００５７】
送受信器1500の内部構成例を図16に示す。図示するように送受信器1502は、図10に示した送受信器92のタイマ94に代えてタイマ94を備え、ホストIF 96に代えてホストIF 1602を備え、さらにデータ格納部1604を追加して備えた構成となっている。本実施例におけるホストIF 1602は、図10に示したホストIF 96の機能構成に、データ格納部1604とのデータ送受信を行う機能が追加されている。
【００５８】
データ格納部1604は、送信データを保持する記憶回路であり、ホスト IF 1602を通じて制御回路32より設定される。データ格納部1604は、送受信器1502が送信モードに移行すると、記憶しているデータを受動的に順に変調器106へ送出する。送出完了するとデータ格納部1604は、ホストIF 1602を通じて制御回路32へ送出完了を通知する。
【００５９】
次にタイマ1600の内部構成例を図17に示す。図示するようにタイマ1600は、図11に示したタイマ96にさらに送信ストップタイマ1700を備えている。送信ストップタイマ1700は、ホストIF 1602を通じて設定値が設定されると、カウンタ120からのカウント値入力と設定値とが一致したときに変調器停止信号1702を出力する。この変調器停止信号1702は、変調器106に接続される。
【００６０】
以上の構成で基地局1500の動作を図18および図19を参照して説明する。図18および図19には、基地局1500の動作を示すフローチャートが示されている。
【００６１】
制御回路32より送受信器1502の制御データ(タイマ値（ステップS1800）、RSSI比較値（ステップS1802）、復調比較データ値（ステップS1804）、送信データ（ステップS1806）)を設定し、続くステップS1808にてタイマ1600のタイマ動作が開始される。このとき制御部32はスタンバイとなって動作を停止する。
【００６２】
送受信器1502は、カウンタ120の出力とスタートタイマ124の設定値とが一致(タイマ満了)すると（ステップS1810）、スタートタイマ124から動作信号128が出力される（ステップS1812）。この動作信号128を受けてRF回路100が受信動作を開始し、RF回路100は、RSSI変換回路 102に受信電波強度を送出する。
【００６３】
次にステップS1814 に進むと、カウンタ120の出力とストップタイマ122の設定値とが一致すると、ストップタイマ122から停止信号126が出力されて（ステップS1816）受信動作が停止される。
【００６４】
次いで、図19に示すステップS1900に進み、判定部110にて比較した結果が“RSSI値＞設定値”であった場合に、復調器104を動作させ受信データの復調を開始、復調したデータを復調器104から比較器98に出力する。
【００６５】
受信データが比較部98に入力されると、比較部98では、復調データと設定値とを比較し（ステップS1904）、その比較が一致した時点で復調データ比較結果をホストIF 1602に出力する。これとともに復調データをホストIF 1602に出力する。ホストIF 1602は、比較部98から供給される復調データ比較結果により復調データを制御回路32へ送出する。
【００６６】
制御回路32は復調データを送受信器1502より受信すると起動し、制御回路32から送出するデータを送受信器1502に出力し（ステップS1906）、また、受信した復調データの処理を行う。
【００６７】
次いでステップS1908に進み、カウンタ120の出力と比較ストップタイマ1100の設定値とが一致すると、比較ストップタイマ1100が復調器停止信号1102を出力する（ステップS1410）。この復調器停止信号1102によって、復調器104および比較部98の動作が停止され、さらに制御部32も同時に停止される。その後カウンタ120の出力とストップタイマ122の設定値とが一致すると（ステップS1908）、ストップタイマ1102から停止信号1102が出力されて（ステップS1910）、受信動作が停止される。その後、カウンタ120のカウント値をクリアして次のタイマ満了を待つ（ステップS1912）。
【００６８】
ステップS1900にて、RSSI判定結果が設定値を超えていない場合にはステップS1920に進んで変調器106を動作させる。次いでステップS1922に進むと、データ格納部32に設定されているデータが順次変調器106へ送出され、変調器にて処理された信号はさらにRF回路100に入力されて無線信号として発信される（ステップS1924）。
【００６９】
データ格納部32に設定されているデータが全て送出されると、データ格納部1604はホストIF 1602を通じて制御部32へデータの送出が完了したことを通知する。制御部32は、次に送出すべきデータがある場合はホストIF 1602を通じてデータ格納部1604に設定して続きのデータをデータ格納部32に送出する。逆に送出すべきデータがない場合には制御部32は停止する。
【００７０】
次いでステップ1926に進み、カウンタ120の出力と送信ストップタイマ1700の設定値とが一致すると、送信ストップタイマ1700から復調器停止信号1702が出力されて、変調器106およびデータ格納部1604の動作を停止させる（ステップS1928）。その後、カウンタ120の出力とストップタイマ122の設定値とが一致するとカウンタ120のカウント値がクリアされて（ステップS1912）次のタイマ満了を待つ。
【００７１】
以上説明したようにタイマ1600に設定された時間毎に定期的にRSSI値を設定値と比較し、その比較結果により設定より高い受信電波強度を検出したときに図図13および図14に示した実施例と同等の動作を行い、また、設定よりも低い信号レベルの電波を検出したときには、データ格納部1604に格納したデータを変調器106へ順次送出し、送出し終わるとホストIF1602を通じて制御回路32へその終了を通知する。制御回路32では次いで送出すべきデータがある場合にそのデータをデータ格納部1604に設定することによってデータ送出を継続することができ、送出すべきデータがない場合はタイマ満了を待ちとなって、送信動作を終了することができる。したがって送信したいデータを設定しておくことにより、自動でデータの送出可能期間を検出してデータを送出することができるので、受信動作のみならず送信動作を頻繁に行うシステムにおいても低消費電力化が図れる。
【００７２】
以上説明した各実施例では、無線ネットワークの基地局を例に説明したが、これに限らず、定期的に電波を検出したり、データを送出する動作を行う無線端末24にも有効に適用することができる。
【図面の簡単な説明】
【００７３】
【図１】実施例おける送受信器の内部構成例を示すブロック図である。
【図２】本発明が適用された実施例における基地局の概略構成を示すブロック図である。
【図３】本発明が適用されたセキュリティネットワークシステムを示す概略図である。
【図４】図１に示す送受信器内のタイマの内部構成例を示すブロック図である。
【図５】図１に示す送受信器内の判定部の内部構成例を示すブロック図である。
【図６】図２に示す制御回路内の機能構成例を示すブロック図である。
【図７】図２に示す基地局の動作を示すフローチャートである。
【図８】図２に示す基地局の動作を示すフローチャートである。
【図９】基地局の他の実施例の概略を示すブロック図である。
【図１０】図９に示す他の実施例における基地局の概略構成を示すブロック図である。
【図１１】図１０に示す基地局内のタイマの内部構成例を示すブロック図である。
【図１２】図１０に示す基地局内の比較部の内部構成例を示すブロック図である。
【図１３】図９に示す基地局の動作を示すフローチャートである。
【図１４】図９に示す基地局の動作を示すフローチャートである。
【図１５】基地局のさらに他の実施例の概略を示すブロック図である。
【図１６】図１５に示す実施例における基地局内の送受信器の内部構成例を示すブロック図である。
【図１７】図１５に示す実施例における基地局内のタイマの内部構成例を示すブロック図である。
【図１８】図１５に示す基地局の動作を示すフローチャートである。
【図１９】図１５に示す基地局の動作を示すフローチャートである。
【符号の説明】
【００７４】
10  セキュリティネットワークシステム
20  基地局
24  無線端末
100  RF回路
102  RSSI変換回路
104  復調器
106  変調器
108  ホストIF
110  判定部
112  タイマ
【図１】
2006279822.tif 000003
【図２】
2006279822.tif 000004
【図３】
2006279822.tif 000005
【図４】
2006279822.tif 000006
【図５】
2006279822.tif 000007
【図６】
2006279822.tif 000008
【図７】
2006279822.tif 000009
【図８】
2006279822.tif 000010
【図９】
2006279822.tif 000011
【図１０】
2006279822.tif 000012
【図１１】
2006279822.tif 000013
【図１２】
2006279822.tif 000014
【図１３】
2006279822.tif 000015
【図１４】
2006279822.tif 000016
【図１５】
2006279822.tif 000017
【図１６】
2006279822.tif 000018
【図１７】
2006279822.tif 000019
【図１８】
2006279822.tif 000020
【図１９】
2006279822.tif 000021